【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
プロセッサと、前記プロセッサに動作可能に接続されるタッチスクリーン表示デバイスとを備えるコンピューティングデバイスによって行われる文字入力方法であって、前記タッチスクリーン表示デバイスは、文字を入力するための入力面と、文字を表示するための出力面とを有する対話式ユーザインターフェイスを備え、前記出力面は、互いに隣接する認識領域および挿入領域を備え、前記方法は、
前記プロセッサによって、文字列を前記認識領域および前記挿入領域を使用して表示するための第一表示ステップであって、前記認識領域および前記挿入領域は、前記第一表示ステップのための表示領域として使用される、第一表示ステップと、
前記タッチスクリーン表示デバイスによって、ユーザによる前記入力面との対話式操作を検出することに応答して、前記出力面上に表示された第一の文字と第二の文字との間の前記文字列内の位置を選択するステップであって、前記第二の文字は、前記文字列内で前記第一の文字に連続する、ステップと、
前記プロセッサによって、前記挿入領域において、前記第二の文字で始まる前記文字列の第二の部分を隠しながら、前記認識領域において、前記第一の文字で終わる前記文字列の第一の部分を表示するための第二表示ステップと、
前記タッチスクリーン表示デバイスによって、前記挿入領域に手動で入力された少なくとも１つの入力ストロークを検出するステップと、
手書き認識を使用して、前記プロセッサによって、前記少なくとも１つの入力ストロークを少なくとも１つの認識された文字に変換するステップと、
前記文字列内の前記選択された位置に、前記少なくとも１つの認識された文字を挿入するステップと、
前記認識領域において、前記文字列に挿入された前記少なくとも１つの認識された文字の少なくとも一部を表示するように、第一方向に前記文字列を移動することにより、前記プロセッサによって、前記認識領域において前記文字列をスクロールするための第一スクロールステップと
を含む、方法。
【請求項２】
前記方法は、
前記タッチスクリーン表示デバイスによって、前記検出された対話式操作として、ユーザが前記入力面に接触することによって行われる対話式操作を検出するステップ
をさらに含む、請求項１に記載の方法。
【請求項３】
前記検出ステップは、
前記検出された対話式操作のパターンを少なくとも１つの所定の対話式操作パターンと比較するステップと、
前記検出された対話式操作のパターンが前記少なくとも１つの所定の対話式操作パターンのうちの１つと一致する場合、前記検出された対話式操作に応答して、前記選択ステップおよび前記第二表示ステップを行うステップと
を含む、請求項２に記載の方法。
【請求項４】
前記選択された位置は、前記第一表示ステップにおいて表示された前記文字列に対する前記入力面上の前記検出された対話式操作の位置に基づいて決定される、請求項１に記載の方法。
【請求項５】
前記検出された対話式操作は、
前記認識領域、
前記挿入領域、および
前記出力面上において、前記第一の文字および前記第二の文字を含む前記文字列の少なくとも一部を表示する内容表示フィールド
のうちの少なくとも１つにおいて生じる、請求項１に記載の方法。
【請求項６】
前記検出された対話式操作は、前記入力面に接触して行われる所定のジェスチャ、または前記入力面上の所定のトグル入力である、請求項１に記載の方法。
【請求項７】
前記検出された対話式操作は、前記第一表示ステップ中に前記表示領域において表示された前記文字列と交差するように、前記入力面と接触して行われる実質的に垂直なジェスチャを含む、請求項６に記載の方法。
【請求項８】
第二表示ステップは、
前記プロセッサによって、前記検出された対話式操作に応答して、前記第一の文字を前記挿入領域に隣接する前記認識領域の一側部に移動させるように、前記文字列を自動的にスクロールするステップを含む、請求項１に記載の方法。
【請求項９】
第二表示ステップは、
前記第一の文字が前記検出された対話式操作の検出時に前記挿入領域内にある場合、前記第一の文字を前記挿入領域から前記認識領域中に移動させるように、前記文字列を自動的にスクロールするステップ
を含む、請求項１に記載の方法。
【請求項１０】
前記文字列は、複数の単語を含み、各単語は、少なくとも１文字を含み、
前記方法は、
前記第一表示ステップ中に、前記認識領域に配置された前記複数の単語のうちの各単語を表示し、かつ前記認識領域に配置された前記複数の単語のうちの各単語を表示するステップ
を含む、請求項１に記載の方法。
【請求項１１】
前記第一スクロールステップは、
前記認識領域において、前記文字列に挿入された前記少なくとも１つの認識された文字の前記少なくとも一部を表示するように、前記文字列を前記挿入領域から前記認識領域に向かう前記第一方向にスクロールするステップ
を含む、請求項１に記載の方法。
【請求項１２】
前記第一スクロールステップは、前記少なくとも１つの入力ストロークを検出するステップの後に自動的に行われる、請求項１に記載の方法。
【請求項１３】
前記第一スクロールステップは、前記手書き認識が完了したことを検出した際に自動的に開始される、請求項１２に記載の方法。
【請求項１４】
前記方法は、
前記手書き認識が行われているときに、前記挿入領域において、前記プロセッサによって、前記検出された少なくとも１つの入力ストロークをデジタルインクとして表示するための第三表示ステップ
をさらに含む、請求項１に記載の方法。
【請求項１５】
前記第一スクロールステップは、
前記文字列内の前記位置に、前記検出された少なくとも１つの入力ストロークを挿入するステップと、
前記手書き認識が行われているときに、前記認識領域において、デジタルインクとして挿入された少なくとも１つの入力ストロークの少なくとも一部を表示するように、前記認識領域において前記第一方向に前記文字列をスクロールするステップと
を含む、請求項１に記載の方法。
【請求項１６】
前記第一スクロールステップは、
前記手書き認識が完了したときに、デジタルインクとして前記認識領域に表示されている前記挿入された少なくとも１つの入力ストロークを、前記少なくとも１つの認識された文字に置き換えるステップ
を含む、請求項１５に記載の方法。
【請求項１７】
前記第一スクロールステップは、
前記少なくとも１つの認識された文字を前記認識領域にタイプセットテキストとして表示するステップ
を含む、請求項１に記載の方法。
【請求項１８】
前記方法は、
前記第一スクロールステップの後に、前記プロセッサによって、前記挿入領域に入るまで前記第一方向の反対の第二方向に前記文字列を移動することにより、前記文字列の表示を前記認識領域から前記挿入領域に延ばすためにスクロールするための第二スクロールステップ
をさらに含む、請求項１に記載の方法。
【請求項１９】
コンピュータ読み取り可能なプログラムコードが組み込まれた、非一時的なコンピュータ読み取り可能な媒体であって、前記コンピュータ読み取り可能なプログラムコードは、コンピューティングデバイスにおいて文字入力方法を実施するように実行されるように適合され、前記コンピューティングデバイスは、プロセッサと、前記プロセッサに動作可能に接続されるタッチスクリーン表示デバイスとを備え、前記タッチスクリーン表示デバイスは、対話式ユーザインターフェイスを備え、前記ユーザインターフェイスは、文字を入力するための入力面と、文字を表示するための出力面とを有し、前記出力面は、互いに隣接する認識領域および挿入領域を備え、前記文字入力方法は、
前記プロセッサによって、文字列を前記認識領域および前記挿入領域を使用して表示するための第一表示ステップであって、前記認識領域および前記挿入領域は、前記第一表示ステップのための表示領域として使用される、第一表示ステップと、
前記タッチスクリーン表示デバイスによって、ユーザによる前記入力面との対話式操作を検出することに応答して、前記出力面上に表示された第一の文字と第二の文字との間の前記文字列内の位置を選択するステップであって、前記第二の文字は、前記文字列内で前記第一の文字に連続する、ステップと、
前記プロセッサによって、前記挿入領域において、前記第二の文字で始まる前記文字列の第二の部分を隠しながら、前記認識領域において、前記第一の文字で終わる前記文字列の第一の部分を表示するための第二表示ステップと、
前記タッチスクリーン表示デバイスによって、前記挿入領域に手動で入力された少なくとも１つの入力ストロークを検出するステップと、
手書き認識を使用して、前記プロセッサによって、前記少なくとも１つの入力ストロークを少なくとも１つの認識された文字に変換するステップと、
前記文字列内の前記選択された位置に、前記少なくとも１つの認識された文字を挿入するステップと、
前記認識領域において、前記文字列に挿入された前記少なくとも１つの認識された文字の少なくとも一部を表示するように、第一方向に前記文字列を移動することにより、前記プロセッサによって、前記認識領域において前記文字列をスクロールするための第一スクロールステップと
を含む、非一時的なコンピュータ読み取り可能な媒体。
【請求項２０】
文字を入力するためのシステムであって、前記システムは、
文字を入力するための入力面と、文字を表示するための出力面であって、認識領域と、文字入力を受け取るための挿入領域とを備え、前記認識領域および前記挿入領域が互いに隣接する出力面とを有する対話式ユーザインターフェイスを備えるタッチスクリーン表示デバイスと、
指示を含む非一時的なコンピュータ読み取り可能な媒体と、
前記タッチスクリーン表示デバイスおよび前記非一時的なコンピュータ読み取り可能な媒体に動作可能に接続され、前記指示を実行して、動作を行うように構成されるプロセッサと
を備え、前記動作は、
前記プロセッサによって、文字列を前記出力面の前記認識領域および前記挿入領域を使用して表示するための第一表示ステップと、
前記タッチスクリーン表示デバイスによって、ユーザによる前記入力面との対話式操作を検出することに応答して、前記出力面上に表示された第一の文字と第二の文字との間の前記文字列内の位置を選択するステップであって、前記第二の文字は、前記文字列内で前記第一の文字に連続する、ステップと、
前記プロセッサによって、前記挿入領域において、前記第二の文字で始まる前記文字列の第二の部分を隠しながら、前記認識領域において、前記第一の文字で終わる前記文字列の第一の部分を表示するための第二表示ステップと、
前記タッチスクリーン表示デバイスによって、前記挿入領域に手動で入力された少なくとも１つの入力ストロークを検出するステップと、
手書き認識を使用して、前記プロセッサによって、前記少なくとも１つの入力ストロークを少なくとも１つの認識された文字に変換するステップと、
前記文字列内の前記選択された位置に、前記少なくとも１つの認識された文字を挿入するステップと、
前記認識領域において、前記文字列に挿入された前記少なくとも１つの認識された文字の少なくとも一部を表示するように、第一方向に前記文字列を移動することにより、前記プロセッサによって、前記認識領域において前記文字列をスクロールするための第一スクロールステップと
を含む、システム。